(57)【要約】【課題】非接触通信において、通信装置との通信をユーザがオンオフ可能なＲＦＩＤカードを提供すること。【解決手段】ＲＦＩＤカードは、インレット基材と、前記インレット基材に形成されたループアンテナと、前記ループアンテナに接続されたＩＣチップと、前記ＩＣチップへの電流をオンオフするためのスイッチと、を備えるＲＦＩＤインレットを内蔵する。【選択図】  図２
2018173877.tif 000002
【特許請求の範囲】
【請求項１】
ＲＦＩＤカードであって、
インレット基材と、
前記インレット基材に形成されたループアンテナと、
前記ループアンテナに接続されたＩＣチップと、
前記ＩＣチップへの電流をオンオフするためのスイッチと、
を備えるＲＦＩＤインレットを内蔵するＲＦＩＤカード。
【請求項２】
請求項１に記載のＲＦＩＤカードであって、
前記インレット基材の平面において、前記スイッチの周囲に前記ループアンテナが形成されたＲＦＩＤカード。
【請求項３】
請求項１又は２に記載のＲＦＩＤカードであって、
前記スイッチに対して直列に接続された発光部を備えるＲＦＩＤカード。
【請求項４】
請求項１〜３のいずれか１項に記載のＲＦＩＤカードであって、
前記スイッチは、オン状態又はオフ状態を維持可能とされている、ＲＦＩＤカード。
【発明の詳細な説明】
【技術分野】
【０００１】
本発明は、ＲＦＩＤカードに関する。
【背景技術】
【０００２】
所定の情報が書き込まれたＩＣチップから非接触通信によって情報を送受するＲＦＩＤ（Radio Frequency Identification）技術は、例えば、商用タグ、出入者確認用タグ、クレジットカード、プリペイドカード、キャッシュカード、ＩＤカード、各種会員カード、社員証、診察券、乗車券等の種々の分野において適用されている（特許文献１参照）。
【先行技術文献】
【特許文献】
【０００３】
【特許文献１】特開２００６−０９９７５０号公報
【発明の概要】
【発明が解決しようとする課題】
【０００４】
上述のような非接触通信では、非接触通信に対応した、例えばＩＣカードが、通信装置の通信可能圏内に入ると、通信装置による読み取りが可能になるという利点があるものの、ユーザが意図しないタイミングで情報が読み取られることがあった。例えば、バックやポケットに入れたＩＣカードがバックや衣服の外部から第三者によって情報を読み取られたり書き換えられたりするおそれがある。クレジットカードの場合には、所有者の意図しない買い物の決済が為されるリスクもある。
【０００５】
そこで、本発明は、非接触通信において、通信装置との通信をユーザがオンオフ可能なＲＦＩＤカードを提供することを目的とする。
【課題を解決するための手段】
【０００６】
本発明のある態様によれば、インレット基材と、前記インレット基材に形成されたループアンテナと、前記ループアンテナに接続されたＩＣチップと、前記ＩＣチップへの電流をオンオフするためのスイッチと、を備えるＲＦＩＤインレットを内蔵するＲＦＩＤカードが提供される。
【発明の効果】
【０００７】
上述の態様によれば、非接触通信において、通信装置との通信をユーザがオンオフ可能なＲＦＩＤカードを提供できる。
【図面の簡単な説明】
【０００８】
【図１】図１は、本発明の第１実施形態に係るＲＦＩＤカード１の外観図である。
【図２】図２は、ＲＦＩＤカード１から表面基材２２を取り除いたＲＦＩＤインレット１０を示す平面図である。
【図３】図３は、図２に示すＲＦＩＤインレット１０のＩＩＩ−ＩＩＩ線における断面図である。
【図４】図４は、第１実施形態に係るＲＦＩＤカード１の読取操作を説明する模式図である。
【図５】図５は、本発明の第２実施形態に係るＲＦＩＤカード１００の外観図である。
【図６】図６は、ＲＦＩＤカード１００から表面基材２２を取り除いたＲＦＩＤインレット１０を示す平面図である。
【図７】図７は、第３実施形態に係るＲＦＩＤカード２００の読取操作を説明する模式図である。
【図８】図８は、ＲＦＩＤカード２００から表面基材２２を取り除いたＲＦＩＤインレット１０を示す平面図である。
【発明を実施するための形態】
【０００９】
［第１実施形態］
本発明の第１実施形態に係るＲＦＩＤカード１について、図１から図３を参照して詳細に説明する。
【００１０】
図１は、本発明の実施形態に係るＲＦＩＤカード１の外観図である。図２は、ＲＦＩＤカード１から表面基材２２を取り除いた状態、すなわち、ＲＦＩＤインレット１０の平面図である。図３は、図２のＩＩＩ−ＩＩＩ線における断面図である。なお、図３では、表面基材２２及び接着剤層２１が２点鎖線で示されている。
【００１１】
図１に示すＲＦＩＤカード１は、いわゆるＩＣカードである。ＲＦＩＤカード１は、図２に示すように、インレット基材１１と、インレット基材１１に配置されたループアンテナ１２、ＩＣチップ１３、スイッチ１４、及び発光部１６等と、を備え、図示されていない通信装置と非接触通信によって通信可能に構成される。
【００１２】
ＲＦＩＤカード１の表面２には、いわゆるクレジットカードとしての、カード番号、有効期限、カード名義等の情報が刻印されている。また、ＲＦＩＤカード１の表面２には、スイッチが内蔵された領域であることを示すボタン３がプリントされている。
【００１３】
ＲＦＩＤカード１の表面２は、表面基材２２の表面に相当する。表面基材２２の一部には開口部２２ｈが形成されており、開口部２２ｈからは発光部１６が外部に臨んでいる。
【００１４】
表面基材２２は、図３に２点鎖線で示すように、インレット基材１１の表面に接着剤層２１を介して設けられる。また、ＲＦＩＤカード１は、インレット基材１１におけるＩＣチップ１３等が配置された表面の反対面に接着剤層２３を介して設けられた裏面基材２４を有する。
【００１５】
インレット基材１１は、フィルム状に成形可能なエンジニアリングプラスチックを用いることができ、例えば、ポリエステル樹脂、なかでも、ポリエチレンテレフタレートのフィルム単体又はこのフィルムを複数枚積層したものを用いることができる。
【００１６】
インレット基材１１の厚さは、２５μｍ以上２００μｍ以下であることが好ましく、本実施形態では、５０μｍである。
【００１７】
ＩＣチップ１３は、ループアンテナ１２と電気的に接続されるとともに、ループアンテナ１２を介してインレット基材１１の表面に接合されている。
【００１８】
表面基材２２としては、紙や合成樹脂、又はフィルム状に成形可能なエンジニアリングプラスチックを用いることができる。紙としては、クラフト紙、上質紙、アート紙及びコート紙、光沢のあるグロス紙、感熱紙等を用いることができる。裏面基材２４についても同様である。
【００１９】
また、フィルムとしては、ポリエステル、ポリエチレン、ポリプロピレン、塩化ビニル、ポリスチレン、合成樹脂を主原料とした紙状フィルム等を用いることができる。
【００２０】
本実施形態においては、表面基材２２として、塩化ビニル又はポリプロピレンシートを用いることが好ましい。表面基材２２の厚さは、２０μｍ〜２００μｍとすることができる。
【００２１】
次に、ＲＦＩＤインレット１０について説明する。
【００２２】
ＲＦＩＤインレット１０は、図２に示すように、インレット基材１１と、インレット基材１１の表面に形成されたループアンテナ１２と、ループアンテナ１２に接続されたＩＣチップ１３と、を備える。
【００２３】
また、ＲＦＩＤインレット１０は、ＩＣチップ１３に対応して設けられ、ＩＣチップ１３への電流をオンオフするためのスイッチ１４を備える。
【００２４】
ループアンテナ１２は、ＨＦ帯（３ＭＨｚ〜３０ＭＨｚ、特に１３．５６ＭＨｚ近傍）等の特定の周波数帯の電波を送受信することができる。
【００２５】
ループアンテナ１２は、例えば、銅やアルミニウム等の金属膜、導電性インク、又は金属線により形成されている。ループアンテナ１２の厚さは、金属膜では数μｍ〜数十μｍである。
【００２６】
ループアンテナ１２は、ＩＣチップ１３に電気的に接続されている。接合方法としては、一例として、異方導電性ペースト又は導電性フィルムを用いた焼付け接合を用いることができる。これにより、ループアンテナ１２で送受信したデータは、ＩＣチップ１３に送られて、ＩＣチップ１３において処理される。
【００２７】
ループアンテナ１２の一部の表面には、絶縁層１７が形成されている。絶縁層１７の表面には、配線部１８が形成されている。配線部１８は、ループアンテナ１２の終端と、ＩＣチップ１３と連結された配線部１５と、を接続している。配線部１５及び配線部１８は、アルミニウム箔又は銅箔によって形成されている。
【００２８】
また、ＲＦＩＤインレット１０は、ループアンテナ１２とＩＣチップ１３との間に、ループアンテナ１２とＩＣチップ１３に電気的に接続された発光部１６を有する。ここで、発光部１６としては、ＬＥＤ（Ｌｉｇｈｔ  Ｅｍｉｔｔｉｎｇ  Ｄｅｖｉｃｅ）が挙げられる。
【００２９】
ＩＣチップ１３とスイッチ１４とは、直列接続されており、ＩＣチップ１３及びスイッチ１４は、ループアンテナ１２に対して並列接続されている。また、発光部１６は、スイッチ１４に対して直列に接続されている。これにより、スイッチ１４が閉じられてオン状態になると、スイッチ１４に接続されたＩＣチップ１３とループアンテナ１２との間で閉回路が形成される。
【００３０】
［第１実施形態の読取操作の説明］
図４は、第１実施形態に係るＲＦＩＤカード１の読取操作を説明する模式図である。図４に示すように、ＲＦＩＤカード１において、ユーザによって、ボタン３が押下されると、スイッチ１４が閉じられて、ＩＣチップ１３とループアンテナ１２との間で閉回路が形成される。
【００３１】
ＲＦＩＤカード１が通信装置３００の通信圏内にある場合には、得られた閉回路に誘導電流が流れ、通信装置３００は、ＩＣチップ１３内の情報を読み出すことができる。形成された閉回路に誘導電流が流れると、発光部１６が点灯する。これにより、ユーザは、通信がなされたことを知ることができる。
【００３２】
例えば、図１に示したＲＦＩＤカード１のＩＣチップ１３に特定の小売業者系列の店舗においてのみ使用可能な電子マネー情報が記憶されているものとする。
【００３３】
ユーザは、サービス提供者である小売業者の店舗のレジ端末に設けられた通信装置３００にＲＦＩＤカード１を読み取らせる前に、ボタン３を押下する。
【００３４】
これにより、ＩＣチップ１３に記憶された、電子マネー情報が通信装置３００によって認識され、購入商品分の電子マネーが差し引かれる。
【００３５】
このように、ＲＦＩＤカード１は、ボタン３が押下されている間のみ、ループアンテナ１２とＩＣチップ１３との間に閉回路が形成される。ユーザは、ボタン３を押下している間のみ、通信装置３００との通信を確立させることができる。これにより、本実施形態に係るＲＦＩＤカード１によれば、例えば、第三者が非接触通信によってＩＣカードを読み取り可能な装置を用いて、ユーザのポケットや鞄に入れられた非接触通信対応のＩＣカードの情報をかすめ取る行為から、ＩＣチップ１３内の情報を守ることができる。
【００３６】
［第２実施形態］
次に、本発明の第２実施形態に係るＲＦＩＤカード１００について、図面を参照して詳細に説明する。
【００３７】
図５は、本発明の第２実施形態に係るＲＦＩＤカード１００の外観図である。図６は、ＲＦＩＤカード１００から表面基材２２を取り除いたＲＦＩＤインレット１０を示す平面図である。図５及び図６において、上述したＲＦＩＤカード１に備えられたものと同様の機能を有する構成には同一の番号を付して詳細な説明を省略する。
【００３８】
図５に示すＲＦＩＤカード１００は、ボタン３の位置が異なる。すなわち、図５に示すＲＦＩＤカード１００は、表面の中央部分に、ボタン１０１がプリントされている。
【００３９】
図６に示すように、第２実施形態に係るＲＦＩＤカード１００では、ＩＣチップ１３及びスイッチ１４の周囲にループアンテナ１２のループが形成されている。また、発光部１６は、ループアンテナ１２の最外側のループ上に配置されている。
【００４０】
第２実施形態に係るＲＦＩＤカード１００は、中央部分にボタン１０１が形成されているため、ユーザは、ＲＦＩＤカード１００を通信装置３００に押し当てることでスイッチ１４が閉じられて、ＩＣチップ１３とループアンテナ１２との間で閉回路を形成することができる。
【００４１】
［第２実施形態の読取操作の説明］
第２実施形態に係るＲＦＩＤカード１００によれば、ユーザがＲＦＩＤカード１００のボタン１０１を通信装置３００に押し当てて、スイッチ１４が閉じられると、ＩＣチップ１３とループアンテナ１２との間で閉回路が形成され、通信装置３００との通信が確立する。このとき、通信装置３００は、ＩＣチップ１３内の情報を読み出すことができる。形成された閉回路に誘導電流が流れると、発光部１６が点灯する。これにより、ユーザは、通信がなされたことを知ることができる。
【００４２】
［第３実施形態］
次に、本発明の第３実施形態に係るＲＦＩＤカード２００について、図面を参照して詳細に説明する。図７は、第３実施形態に係るＲＦＩＤカード２００の読取操作を説明する模式図である。また、図８は、ＲＦＩＤカード２００から表面基材２２を取り除いたＲＦＩＤインレット１０を示す平面図である。
【００４３】
図７には、スライドスイッチ２０１を備えたＲＦＩＤカード２００が示されている。ＲＦＩＤカード２００において、スライドスイッチ２０１は、上述した実施形態において示されたボタン３，ボタン１０１等と押下式のスイッチ１４とで表されるスイッチとは異なり、オン状態又はオフ状態が維持可能なスイッチである。
【００４４】
図８に示すように、スライドスイッチ２０１は、ＯＮ位置にある場合には、配線部１５を電気的に連結することができ、このとき閉回路が形成される。
【００４５】
第３実施形態に係るＲＦＩＤカード２００は、スライドスイッチ２０１がＯＮ位置にある間のみ、ループアンテナ１２とＩＣチップ１３との間に閉回路が形成される。これにより、スライドスイッチ２０１がＯＮ位置にある間のみ、通信装置３００との通信を確立させることができる。
【００４６】
このため、第３実施形態に係るＲＦＩＤカード２００によれば、ユーザは、ＲＦＩＤカード２００を意図して使用するとき以外は、ＲＦＩＤカード２００のスライドスイッチ２０をＯＦＦ位置にしておけば、例えば、第三者が非接触通信によってＩＣカードを読み取り可能な装置を用いて、ユーザのポケットや鞄に入れられた非接触通信対応のＩＣカードの情報をかすめ取る行為から、ＩＣチップ１３内の情報を守ることができる。
【００４７】
［その他の実施形態］
上述した本発明の実施形態は、本発明の趣旨を逸脱しない範囲において、種々の変更が可能である。
【００４８】
また、ループアンテナ１２の形状は、矩形スパイラルとして説明したが、これに限定されない。ループアンテナ１２は、円形であってもよい。また、配線部１５の配線パターンも図２、図６又は図８に示すパターンに限定されない。
【００４９】
配線部１５の配線パターンにおける発光部１６の位置もまた、図２、図６又は図８に示す位置に限定されない。
【００５０】
表面基材２２及び裏面基材２４の材料は、ＲＦＩＤカード１、ＲＦＩＤカード１００又はＲＦＩＤカード２００の形態に応じて、適宜変更可能である。インレット基材１１の材質によっては、ＲＦＩＤインレット１０を裏面側から支持するための裏面基材２４は、必ずしも備えていなくてもよい。
【００５１】
図５に示すＲＦＩＤカード１００において、ＩＣチップ１３は、ループアンテナ１２のループの外側に配置されていてもよい。これにより、情報処理端末の押し当てによるダメージを防止することができる。
【００５２】
また、上記実施形態において、ボタン３，１０１（スイッチ１４）、或いはスライドスイッチ２０１は、ＲＦＩＤカードの表面２の反対面（裏面）に設けられていてもよい。
【００５３】
以上、本発明の実施形態について説明したが、上記実施形態は、本発明の適用例の一部を示したに過ぎず、本発明の技術的範囲を上記実施形態の具体的構成に限定する趣旨ではない。
【符号の説明】
【００５４】
１    ＲＦＩＤカード
２    表面
３    ボタン
１０    ＲＦＩＤインレット
１１    インレット基材
１２    ループアンテナ
１３    ＩＣチップ
１４    スイッチ
１５    配線部
１６    発光部
１７    絶縁層
１８    配線部
２０    スライドスイッチ
２１    接着剤層
２２    表面基材
２２ｈ    開口部
２３    接着剤層
２４    裏面基材
１００    ＲＦＩＤカード
１０１    ボタン
２００    ＲＦＩＤカード
２０１    スライドスイッチ
３００    通信装置
【図１】
2018173877.tif 000003
【図２】
2018173877.tif 000004
【図３】
2018173877.tif 000005
【図４】
2018173877.tif 000006
【図５】
2018173877.tif 000007
【図６】
2018173877.tif 000008
【図７】
2018173877.tif 000009
【図８】
2018173877.tif 000010